(57)【要約】      （修正有）【課題】手軽に脱着する事ができ、フロントガラスに霜や雪が付着することを防ぐ自動車の窓ガラスを覆うウインドマスクを提供する。【解決手段】ウインドマスク１の形状は、窓ガラスに合わせた台形で材質は薄くて強度のある防水シートを使用し、マスクが風で剥がれ落ちるのを防ぐために、左右縁取りの骨４部分に、磁石２を取り付けたゴムバンド３を複数設け、車の窓枠やボデーに固定する。【選択図】図１
0003193924.tif 000002
【実用新案登録請求の範囲】
【請求項１】
自動車の窓ガラスに付着する霜や雪を、簡単に取り除くために使用する自動車の窓ガラスを覆うマスクにおいて、マスクが風で剥がれ落ちるのを防ぐため、図１で示す様に、台形の形状をしたウインドマスク（１）の左右両端に設けた骨（４）に、長さ調整が可能な磁石（２）付きゴムバンド（３）を、複数施し設けた事を特徴とする自動車のウインドマスク（１）
【考案の詳細な説明】
【産業上の利用分野】
【０００１】  北国では冬期に屋外駐車をすると、自動車の窓ガラスに霜が付着して視界が遮られ、安全な運転に支障を来す事があります、又、降雪による雪の付着で視界が遮られる事もあります、そのために特殊な用具を使用して雪を払い落としたり、窓ガラスに付着した霜を削り落とします、しかし、夜間の冷え込みで凍結する霜や雪を取り除くことは容易な事ではありません、窓ガラスの視界を取り戻すにはかなりの手間と時間を要します、
本考案は、この様な不便を解消するための、自動車の窓ガラスを覆うウインドマスクを提供しようとするものである。
【従来の方法】
【０００２】  従来では冬期に屋外駐車をする場合、降雪や夜間の冷え込みが厳しいことが予測できますと、几帳面な人は窓ガラスに毛布を掛けたり、防水シートで窓を覆います、しかし、風で毛布や防水シートが剥がれ落ちたり、吹き飛んでしまうことがあります、そのために毛布やシートの端をドアに挟んだり、紐で縛ったりしますが思うようにうまく行きません、手間も掛かりますので多くの人は窓を覆う事をあきらめ、運転開始の前にアイドリングにより車内を暖めて視界を遮る霜や雪を溶かします、窓ガラスの視界を取り戻すためには時間も掛かり、無駄な燃料を消費することは言うまでもありません、アイドリングによるエンジン音で、近隣の住民に迷惑をかけることもあります、
【考案が解決しようとする課題】
【０００３】  屋外駐車において自動車の窓ガラスに付着する霜や雪で、視界が遮られる現象をウインドマスクで窓ガラスを覆うことにより防ぎたい、しかし、窓ガラスに被せたマスクが風により剥がされて、吹き飛んでしまう事がありますので、窓ガラスにマスクを被せた後に、マスクを磁石の磁力とゴムバンドの伸縮力を利用して、マスクの両端を引き合いながら装着させる事で、窓ガラスとマスクの隙間に風が吹き込むのを防ぎ、マスクがめくれて吹き飛んでしまう様な失態を防ぎたい、又、近年フロントガラスの形状は、空気抵抗を小さくするために流線てきになり、フロントガラスの面積が拡大しています、窓ガラスの全体を覆うためには、マスクも大きなものが必要になります、マスクの面積が大きくなるほど取扱いが面倒になりますし、マスクが風によって剥がれる確率も高くなります、マスクの大きさは自動車の安全な運転に支障のない視界が確保される範囲の中で、マスク面積は小さくした方が理想的です、又、自動車の車種により大きさの異なる窓ガラスに対して、ウインドマスクの適用範囲をより拡大したい。
【課題を解決するための手段】
【０００４】  本考案のウインドマスク（１）の形状は、図１で示すようにフロントガラスに合わせた台形で、材質は薄くて強度のある防水シートを使用します、フロントガラス（５）に被せたウインドマスク（１）が、風で剥がれ落ちるのを防ぐためには、マスクが常にピーンと張った状態を保つことが求められます、そのための手段としてマスクの両端の縁の部分に、支えとなりうる左右２本の骨（４）を施し設けました、次に骨（４）には長さを調整する事の出来るゴムバンド（３）を複数取り付け、ゴムバンドの先には磁石（２）が取り付けてあります、図２、で示すように車の窓枠やボデー（６）に磁石（２）を吸着させて固定する事により、ウインドマスク（１）がゴムバンドの伸縮力により左右に引き合い、マスクの隅々まで力が分散されますので、ウインドマスク（１）はガラス面と隙間が無いほどにピッタリと装着する事ができます、更に、ゴムバンド（３）は長さを自由に調整する事により、車種により大きさの異なる自動車の窓ガラスに、ウインドマスク（１）が適応する範囲を拡大する事ができるのです、
【考案を実施するための形態】
【０００５】  ウインドマスク（１）は、図２で示すように自動車の窓ガラス（５）に被せて使用します、マスクの両端の縁の部分に左右２本設けた骨（４）には、磁石（２）を取り付けたゴムバンド（３）が複数施し設けてありますので、磁石（２）を窓枠やボデー（６）に吸着して固定させることにより、ウインドマスク（１）は誰もが簡単に装着する事ができます、更に、フロントガラスの下方には、ワイパーの羽（７）が２本設置されていますので、ウインドマスク（１）を装着するときに、マスクの下裾をワイパーの羽で挟む事により、風でマスクが剥がれ落ちることを二重に防ぐ事が出来ます、磁石（２）を取り付けたゴムバンド（３）は、長さを調整する事が可能であり伸縮もしますので、車種により大きさの異なる窓ガラスに対しても、マスクの適用車種範囲を拡大することが出来ます、ウインドマスク（１）の装着により、降りそそぐ霜や雪はマスクの表面に付着しますので、マスクをはぎ取ることで窓ガラスの視界を完璧に確保できるのです、ウインドマスク（１）の表面に付着した霜や雪は、マスクを軽く叩くと簡単に払い除く事ができます。
【考案の効果】
【０００６】  本考案は上述の通り構成されているので次ぎに記載する四つの効果を奏する。
【０００７】  ▲１▼ウインドマスク（１）を使用することにより、霜や雪で遮られる窓カラスの視界を確保する事ができます、
【０００８】  ▲２▼ゴムバンド（３）は伸縮力によりウインドマスク（１）を、左右に引っぱり合いますのでウインドマスク（１）を窓カラスにピッタリと装着します、
【０００９】  ▲３▼磁石（２）を取り付けたゴムバンド（３）は、長さを調整する事により、マスクの使用が可能となる自動車の車種の範囲を拡大します、
【００１０】  ▲４▼夏期の屋外駐車では車内の温度が異常な程に高くなります、ウインドマスク（１）は、太陽光を遮りますので車内の温度を抑え、目隠しとしての役目も合わせ持ちます。
【図面の簡単な説明】
【００１１】
【図１】  ウインドマスク（１）の平面図
【図２】  ウインドマスク（１）の実施の形態を示す斜視図
【符号の説明】
【００１２】１  ウインドマスク
２  磁石
３  ゴムバンド
４  骨
５  フロントガラス
６  自動車のボデー
７  ワイパーの羽
【図１】
0003193924.tif 000003
【図２】
0003193924.tif 000004
【手続補正書】
【提出日】平成26年8月14日(2014.8.14)
【手続補正１】
【補正対象書類名】実用新案登録請求の範囲
【補正対象項目名】全文
【補正方法】変更
【補正の内容】
【実用新案登録請求の範囲】
【請求項１】
冬期に屋外駐車した自動車の窓ガラスに霜や雪が付着して、視界を遮る現象を防ぐために使用する、車の窓ガラスを覆うマスクにおいて、マスクが風で剥がれ落ちるのを防ぐために、マスク（１）の左右縁取りの部分に、磁石（２）を取り付けたゴムバンド（３）を複数設けた事を特徴とする自動車のウインドマスク